(57)【要約】【課題】妨害波信号による受信感度の劣化を抑制する。【解決手段】受信装置７０には、増幅回路１、入力信号振幅制限回路２、スイッチ３、スイッチ４、電源５、信号処理部６、入力端子Ｐａｄ１、及び出力端子Ｐａｄ２が設けられ、所望波信号と妨害波信号が入力信号Ｓｉｎとして入力される。スイッチ３は、制御信号ＳＳ１がｅｎａｂｌｅ状態のときにバイパス径路を介して入力信号ＳｉｎをノードＮ２に出力する。スイッチ４は、制御信号ＳＳ１がｅｎａｂｌｅ状態のときに増幅回路１と電源５の間を遮断して増幅回路１の動作を停止させる。入力信号振幅制限回路２は、入力信号Ｓｉｎの中の妨害波信号の振幅制限を行い、振幅制限された妨害波信号を有する入力信号Ｓｉｎを増幅回路１に出力し、所望波信号が所定の値以上のときに増幅回路１の入力側を高インピーダンス値に設定する。【選択図】図１
2010074762.tif 000002
【特許請求の範囲】
【請求項１】
所望波信号及び妨害波信号が入力信号として入力され、前記所望波信号を増幅した増幅信号を出力する増幅回路と、
前記増幅回路の入力側と出力側の間に設けられ、前記所望波信号の電力が所定の値以上のとき、前記増幅回路を介さずに前記入力信号を出力信号として出力する第１の切り替え手段と、
前記増幅回路への電源の供給を制御し、前記所望波信号の電力が所定の値以上のとき、前記増幅回路への前記電源の供給を停止する第２の切り替え手段と、
前記増幅回路の入力側に設けられ、前記入力信号が入力され、前記妨害波信号の電力が所定の値以上で、前記所望波信号の電力が小さいとき、前記妨害波信号の信号レベルを減衰し、減衰した妨害波信号を前記増幅回路に出力する入力信号振幅制限回路と、
を具備することを特徴とする受信装置。
【請求項２】
前記入力信号振幅制限回路は、前記所望波信号の電力が所定の値以上のとき、前記増幅回路の入力側を高インピーダンス値に設定することを特徴とする請求項１に記載の受信装置。
【請求項３】
所望波信号及び妨害波信号が入力信号として入力され、前記所望波信号を増幅した増幅信号を出力する増幅回路と、
前記増幅回路の入力側に設けられ、前記所望波信号の電力が所定の値以上のとき、前記入力信号の前記増幅回路への供給を停止して前記入力信号をバイパス径路へ供給し、前記所望波信号の電力が小さいとき、前記入力信号の前記増幅回路への供給を行う第１の切り替え手段と、
前記増幅回路の出力側に設けられ、前記所望波信号の電力が所定の値以上のとき、前記バイパス径路から供給される前記入力信号を出力信号として出力し、前記所望波信号の電力が小さいとき、前記増幅回路から出力される増幅信号を出力信号として出力する第２の切り替え手段と、
前記増幅回路への電源の供給を制御し、前記所望波信号の電力が所定の値以上のとき、前記増幅回路への前記電源の供給を停止する第３の切り替え手段と、
前記増幅回路の入力側に設けられ、前記入力信号が入力され、前記妨害波信号の電力が所定の値以上で、前記所望波信号の電力が小さいとき、前記妨害波信号の信号レベルを減衰し、減衰した妨害波信号を前記増幅回路に出力する入力信号振幅制限回路と、
を具備することを特徴とする受信装置。
【請求項４】
前記入力信号振幅制限回路は、カソード側が前記増幅回路の入力側に接続され、アノード側が低電位側電源側に接続される第１のダイオードと、カソード側が前記低電位側電源側に接続され、アノード側が前記増幅回路の入力側に接続される第２のダイオードとを具備することを特徴とする請求項１乃至３のいずれか１項に記載の受信装置。
【請求項５】
前記所望波信号及び前記妨害波信号の信号レベルを検出する信号レベル検出回路を有し、前記切り替え手段を制御する制御信号を生成し、前記出力信号を入力して信号処理を行う信号処理部を具備することを特徴とする請求項１乃至４のいずれか１項に記載の受信装置。
【発明の詳細な説明】
【技術分野】
【０００１】
本発明は、高周波信号を増幅して出力する受信装置に関する。
【背景技術】
【０００２】
無線受信装置等に用いられる増幅回路は、一般に入力信号の増加に伴って出力信号が歪む等の非線形特性を有し、出力信号には入力信号を増幅した信号成分だけでなく高調波歪等の歪信号成分も含まれて出力されてしまう。非線形歪成分が受信しようとする信号の帯域内に混じりこむと不要な信号として作用するため、良好な受信特性を得るためには、増幅回路を非線形性が十分小さい動作範囲で使用する必要がある。増幅回路の非線形性を抑圧する受信装置として、増幅回路と並列にバイパス経路を設け、過大な入力信号が入力された場合には入力信号をバイパス経路側を通過させて出力し、増幅回路を介さないことで増幅回路の非線形性に起因する歪を抑圧する技術が用いられる（特許文献1参照）。
【０００３】
特許文献１などに記載される増幅回路では、所望波信号と妨害波信号が近接し、且つ同時に入力信号として入力される場合、電力の大小関係によっては、増幅回路、バイパス径路の切り替えだけでは受信感度の劣化が発生するという問題点がある。
【特許文献１】特開２００４−３２８４００号公報
【発明の開示】
【発明が解決しようとする課題】
【０００４】
本発明は、妨害波信号による受信感度の劣化を抑制することができる受信装置を提供することを目的とする。
【課題を解決するための手段】
【０００５】
本発明の一態様の受信装置は、所望波信号及び妨害波信号が入力信号として入力され、前記所望波信号を増幅した増幅信号を出力する増幅回路と、前記増幅回路の入力側と出力側の間に設けられ、前記所望波信号の電力が所定の値以上のとき、前記増幅回路を介さずに前記入力信号を出力信号として出力する第１の切り替え手段と、前記増幅回路への電源の供給を制御し、前記所望波信号の電力が所定の値以上のとき、前記増幅回路への前記電源の供給を停止する第２の切り替え手段と、前記増幅回路の入力側に設けられ、前記入力信号が入力され、前記妨害波信号の電力が所定の値以上で、前記所望波信号の電力が小さいとき、前記妨害波信号の信号レベルを減衰し、減衰した妨害波信号を前記増幅回路に出力する入力信号振幅制限回路とを具備することを特徴とする。
【０００６】
更に、本発明の他態様の受信装置は、所望波信号及び妨害波信号が入力信号として入力され、前記所望波信号を増幅した増幅信号を出力する増幅回路と、前記増幅回路の入力側に設けられ、前記所望波信号の電力が所定の値以上のとき、前記入力信号の前記増幅回路への供給を停止して前記入力信号をバイパス径路へ供給し、前記所望波信号の電力が小さいとき、前記入力信号の前記増幅回路への供給を行う第１の切り替え手段と、前記増幅回路の出力側に設けられ、前記所望波信号の電力が所定の値以上のとき、前記バイパス径路から供給される前記入力信号を出力信号として出力し、前記所望波信号の電力が小さいとき、前記増幅回路から出力される増幅信号を出力信号として出力する第２の切り替え手段と、前記増幅回路への電源の供給を制御し、前記所望波信号の電力が所定の値以上のとき、前記増幅回路への前記電源の供給を停止する第３の切り替え手段と、前記増幅回路の入力側に設けられ、前記入力信号が入力され、前記妨害波信号の電力が所定の値以上で、前記所望波信号の電力が小さいとき、前記妨害波信号の信号レベルを減衰し、減衰した妨害波信号を前記増幅回路に出力する入力信号振幅制限回路とを具備することを特徴とする。
【発明の効果】
【０００７】
本発明によれば、妨害波信号による受信感度の劣化を抑制することができる受信装置を提供することができる。
【発明を実施するための最良の形態】
【０００８】
以下本発明の実施例について図面を参照しながら説明する。
【実施例１】
【０００９】
まず、本発明の実施例１に係る受信装置について、図面を参照して説明する。図１は受信装置を示すブロック図、図２は入力信号振幅制限回路を示す回路図である。本実施例では、妨害波信号による受信感度の劣化を抑制する入力信号振幅制限回路を設けている。
【００１０】
図１に示すように、受信装置７０には、増幅回路１、入力信号振幅制限回路２、スイッチ３、スイッチ４、電源５、信号処理部６、入力端子Ｐａｄ１、及び出力端子Ｐａｄ２が設けられる。
【００１１】
受信装置７０は、入力側の端子Ｐａｄ１を介して高周波信号である入力信号Ｓｉｎが入力され、信号処理部６で信号処理された信号Ｓ２を出力側の端子Ｐａｄ２から出力する。ここでは、受信装置７０を移動体機器用に適用しているが、放送受信用などにも適用することができる。受信装置７０は、歪みが発生するほどの過大な入力信号Ｓｉｎが増幅回路１に入力された場合、増幅回路１をバイパスするように動作する。
【００１２】
受信装置７０には、所望波信号と妨害波信号が入力信号Ｓｉｎとして入力される。例えば、所望波信号がデジタル放送信号の場合、デジタル放送信号の周波数帯域と隣接するアナログ放送信号が妨害波信号として同時に入力される。
【００１３】
入力信号振幅制限回路２は、端子Ｐａｄ１から出力される入力信号Ｓｉｎが入力され、入力信号Ｓｉｎの中の妨害波信号の振幅制限を行い、振幅制限された妨害波信号を有する入力信号Ｓｉｎを増幅回路１に出力する。
【００１４】
入力信号振幅制限回路２には、図２に示すように、スイッチ２１、電源２２、コンデンサＣ１、コンデンサＣ２、ダイオードＤ１、ダイオードＤ２、及び抵抗Ｒ１が設けられる。
【００１５】
コンデンサＣ１は、一端がノードＮ１（入力端子Ｐａｄ１側）に接続され、他端がノードＮ５に接続される。ダイオードＤ１は、カソードがノードＮ５に接続され、アノードが接地電位である低電位側電源ＶＳＳに接続される。ダイオードＤ２は、アノードがノードＮ５に接続され、カソードがノードＮ６に接続される。ダイオードＤ１とダイオードＤ２は、ノードＮ１側と低電位側電源ＶＳＳ側の間に逆並列接続される。ダイオードＤ１とダイオードＤ２は、ノードＮ１側から入力される、例えば妨害波信号の信号レベルを減衰する役目をする。ここで、ダイオードＤ１とダイオードＤ２には、ショットキーダイオードを用いているが、代わりにＰＩＮダイオードなどを用いてもよい。
【００１６】
コンデンサＣ２は、一端がノードＮ６に接続され、他端が低電位側電源ＶＳＳに接続される。抵抗Ｒ１は、値が比較的大きな抵抗値を有し、一端がノードＮ６に接続され、他端がノードＮ７に接続される。スイッチ２１は、一端がノードＮ７に接続され、他端がノードＮ８に接続され、制御信号ＳＳ２に基づいて“ＯＮ”、“ＯＦＦ”動作する。電源２２は高電位側が低電位側電源ＶＳＳに接続され、低電位側がノードＮ８に接続される。
【００１７】
ここで、スイッチ２１には、例えばＳＰＳＴ（Single  Pole  Single  Throw）スイッチを用いている。制御信号ＳＳ２がｅｎａｂｌｅ状態のとき、スイッチ２１が“ＯＮ”してノードＮ１側である増幅回路１の入力側が高インピーダンス値に設定される。制御信号ＳＳ２がｄｉｓａｂｌｅ状態のとき、スイッチ２１は“ＯＦＦ”する。
【００１８】
スイッチ３は、一端がバイパス径路のノードＮ１に接続され、他端がバイパス径路のノードＮ２に接続され、制御信号ＳＳ１に基づいて“ＯＮ”、“ＯＦＦ”動作する。ここで、スイッチ３には、例えばＳＰＳＴスイッチを用いている。制御信号ＳＳ１がｅｎａｂｌｅ状態のとき、スイッチ３が“ＯＮ”してバイパス径路が“ａｃｔｉｖｅ”となり入力信号ＳｉｎをノードＮ２に出力する。制御信号ＳＳ１がｄｉｓａｂｌｅ状態のとき、スイッチ３は“ＯＦＦ”する。
【００１９】
増幅回路１は、入力信号振幅制限回路２とノードＮ２の間に設けられ、インピーダンス整合され、入力信号振幅制限回路２を介して入力される所望波信号を増幅し、増幅された増幅信号Ｓ１を出力側のノードＮ２に出力する。
【００２０】
スイッチ４は、一端がノードＮ３（増幅回路１側）に接続され、他端がノードＮ４に接続され、制御信号ＳＳ１に基づいて“ＯＮ”、“ＯＦＦ”動作する。電源５は、高電位側がノードＮ４に接続され、低電位側が低電位側電源ＶＳＳに接続される。
【００２１】
ここで、スイッチ４には、例えばＳＰＳＴスイッチを用いている。制御信号ＳＳ１がｅｎａｂｌｅ状態のとき、スイッチ４が“ＯＦＦ”して増幅回路１と電源５の間を遮断し、増幅回路１は動作を停止する。制御信号ＳＳ１がｄｉｓａｂｌｅ状態のとき、スイッチ３は“ＯＮ”して増幅回路１と電源５の間が接続され、増幅回路１が増幅動作をする。
【００２２】
信号処理部６には、信号レベル検出回路１１、図示しないＭＩＸ、ＯＳＣ、ベースバンド処理部などが設けられる。信号処理部６は、ノードＮ２と出力端子Ｐａｄ２の間に設けられ、増幅回路１から出力される増幅信号Ｓ１或いは増幅回路１が停止しているときにバイパス経路を介して送信される入力信号Ｓｉｎが入力され、信号処理された信号Ｓ２を出力端子Ｐａｄ２に出力する。信号処理部６は、スイッチ３及びスイッチ４を制御する制御信号ＳＳ１と、スイッチ２１を制御する制御信号ＳＳ２とを生成する。
【００２３】
信号レベル検出回路１１は、所望波信号と妨害波信号の信号レベルを検出する。信号レベル検出回路１１で検出された所望波信号と妨害波信号の電力に応じて、信号処理部６は制御信号ＳＳ１と制御信号ＳＳ２がｅｎａｂｌｅ状態或いはｄｉｓａｂｌｅ状態にするのかの判断をして判断結果を選択出力する。
【００２４】
次に、受信装置の動作について図３乃至図６を参照して説明する。図３及び図４は受信装置の動作を説明する図、図５は入力信号振幅制限回路の動作を説明する図、図６は入力信号電力と出力信号電力の関係を示す図である。
【００２５】
図３に示すように、所望波信号の電力が所定の値以上の場合（所望波信号（大）／妨害波信号（大）或いは所望波信号（大）／妨害波信号（小）の場合）、ｅｎａｂｌｅ状態の制御信号ＳＳ１により、スイッチ３が“ＯＮ”してバイパス径路が“ａｃｔｉｖｅ”となる。ｅｎａｂｌｅ状態の制御信号ＳＳ１により、スイッチ４が“ＯＦＦ”して増幅回路１への電源供給が停止され、増幅回路１が動作を停止する。このとき、ｅｎａｂｌｅ状態の制御信号ＳＳ２により、スイッチ２１が“ＯＮ”してノードＮ１側である増幅回路１の入力側が高インピーダンス値に設定される。バイパス径路から送信される入力信号Ｓｉｎは、信号処理部６に入力され、信号処理される。ここで、所定の値とは、増幅回路１が動作する線形領域での最大入力信号レベルよりも、例えば−５ｄＢｍ下がったときの電力値である。
【００２６】
図４に示すように、所望波信号の電力が小さく（所定の値以下）で、妨害波信号が小さい場合、ｄｉｓａｂｌｅ状態の制御信号ＳＳ１により、スイッチ３が“ＯＦＦ”してバイパス径路が遮断される。ｄｉｓａｂｌｅ状態の制御信号ＳＳ１により、スイッチ４が“ＯＮ”して増幅回路１が動作する。増幅回路１は、入力信号振幅制限回路２から出力される電力の小さな所望波信号を増幅して増幅された増幅信号Ｓ１を出力側のノードＮ１に出力する。増幅信号Ｓ１は、信号処理部６に入力され、信号処理される。
【００２７】
所望波信号の電力が小さく（所定の値以下）で、妨害波信号の電力が大きい場合、ｄｉｓａｂｌｅ状態の制御信号ＳＳ１により、スイッチ３が“ＯＦＦ”してバイパス径路が遮断される。ｄｉｓａｂｌｅ状態の制御信号ＳＳ２により、スイッチ２１が“ＯＦＦ”し、入力信号振幅制限回路２が電力の大きな妨害波信号の信号レベルを減衰する。
【００２８】
図５に示すように、入力信号振幅制限回路２により減衰された妨害波信号は、電力の小さな所望波信号への影響が無視できるレベルまで減衰される。ｄｉｓａｂｌｅ状態の制御信号ＳＳ１により、スイッチ４が“ＯＮ”して増幅回路１が動作する。増幅回路１は、入力信号振幅制限回路２から出力される電力の小さな所望波信号を増幅して増幅された増幅信号Ｓ１を出力側のノードＮ１に出力される。このとき、妨害波信号が減衰されているので、妨害波による増幅回路１の受信感度の劣化が発生しない。増幅信号Ｓ１は、信号処理部６に入力され、信号処理される。
【００２９】
この結果、図６に示すように、スイッチ３、スイッチ４、スイッチ２１、及び入力信号振幅制限回路２が適切に動作するので、受信装置７０では、所望波信号の電力が小さい場合、所望波信号を劣化させることなく増幅動作できる。所望波信号の電力が所定の値以上の場合、他方の伝送路（増幅回路側）の影響を低減させてバイパス径路側からノードＮ２側に信号を伝送できる。このため、妨害波信号による受信感度劣化が発生する原因となる増幅器１の飽和動作を防止することが可能となる。
【００３０】
上述したように、本実施例の受信装置では、増幅回路１、入力信号振幅制限回路２、スイッチ３、スイッチ４、電源５、信号処理部６、入力端子Ｐａｄ１、及び出力端子Ｐａｄ２が設けられ、所望波信号と妨害波信号が入力信号Ｓｉｎとして入力される。スイッチ３は、所望波信号が所定の値以上のとき、ｅｎａｂｌｅ状態の制御信号ＳＳ１により、バイパス径路を介して入力信号ＳｉｎをノードＮ２に出力する。スイッチ４は、所望波信号が所定の値以上のとき、ｅｎａｂｌｅ状態の制御信号ＳＳ１により、増幅回路１と電源５の間を遮断して増幅回路１の動作を停止させ、所望波信号が小さいとき、ｄｉｓａｂｌｅ状態の制御信号ＳＳ１により、増幅回路１と電源５の間を接続して増幅回路１への電源を供給する。入力信号振幅制限回路２は、所望波信号が小さく、妨害波信号が所定の値以上のときに入力信号Ｓｉｎの中の妨害波信号の振幅制限を行い、振幅制限された妨害波信号を有する入力信号Ｓｉｎを増幅回路１に出力し、所望波信号が所定の値以上のときに増幅回路１の入力側を高インピーダンス値に設定する。
【００３１】
このため、妨害波信号の影響による増幅器１の飽和動作を回避することができ、線形領域での所望波信号の増幅動作を行うことができる。また、バイパス径路を介して入力信号Ｓｉｎが伝送される場合、増幅回路１側への入力信号Ｓｉｎの漏洩を抑制することができる。したがって、所望波信号と妨害波信号の信号レベルによらず、信号処理部６の全入力範囲にわたって増幅回路１の増幅動作を良好に行うことができる。
【００３２】
なお、本実施例では、増幅回路１と電源５の間にスイッチ４を設けているが、代わりに増幅回路１と低電位側電源の間にスイッチを設けて増幅回路の動作を制御してもよい。また、スイッチ３、スイッチ４、及びスイッチ２１にＳＰＳＴスイッチを用いているが、代わりにトランスファーゲート、ＭＯＳトランジスタ、或いはＭＩＳトランジスタなどを用いてもよい。
【実施例２】
【００３３】
次に、本発明の実施例２に係る受信装置について、図面を参照して説明する。図７は受信装置を示すブロック図、図８は入力信号振幅制限回路を示す回路図である。本実施例では、スイッチ及び入力信号振幅制限回路の構成を変更している。
【００３４】
以下、実施例１と同一構成部分には、同一符号を付してその部分の説明を省略し、異なる部分のみ説明する。
【００３５】
図７に示すように、受信装置７１には、増幅回路１、入力信号振幅制限回路２ａ、スイッチ４、スイッチ３１、スイッチ３２、電源５、信号処理部６ａ、入力端子Ｐａｄ１、及び出力端子Ｐａｄ２が設けられる。
【００３６】
受信装置７１は、入力側の端子Ｐａｄ１を介して高周波信号である入力信号Ｓｉｎが入力され、信号処理部６ａで信号処理された信号Ｓ２を出力側の端子Ｐａｄ２から出力する。受信装置７１は、歪みが発生するほどの過大な入力信号Ｓｉｎが増幅回路１に入力された場合、増幅回路１をバイパスするように動作する。
【００３７】
受信装置７１には、所望波信号と妨害波信号が入力信号Ｓｉｎとして入力される。例えば、所望波信号がデジタル放送信号の場合、デジタル放送信号の周波数帯域と隣接するアナログ放送信号が妨害波信号として同時に入力される。
【００３８】
スイッチ３１は、制御信号ＳＳ１１により、ノードＮ１１とノードＮ１２、或いはノードＮ１１とノードＮ１３のいずれかを選択接続する。ｅｎａｂｌｅ状態の制御信号ＳＳ１１により、スイッチ３１がノードＮ１１とノードＮ１３の間を接続し、パイパス径路が“ａｃｔｉｖｅ”となる。ｄｉｓａｂｌｅ状態の制御信号ＳＳ１１により、スイッチ３１がノードＮ１１とノードＮ１２の間を接続する。
【００３９】
スイッチ３２は、制御信号ＳＳ１１により、ノードＮ２とノードＮ１４、或いはノードＮ１３とノードＮ１４のいずれかを選択接続する。ｅｎａｂｌｅ状態の制御信号ＳＳ１１により、スイッチ３２がノードＮ１３とノードＮ１４の間を接続し、パイパス径路が“ａｃｔｉｖｅ”となる。ｄｉｓａｂｌｅ状態の制御信号ＳＳ１１により、スイッチ３２がノードＮ２とノードＮ１４の間を接続する。
【００４０】
ここで、スイッチ３１及びスイッチ３２には、低挿入損出で、高アイソレーション特性を有する、例えばＳＰＤＴ（Single  Pole  Double  Throw）スイッチを用いるのが好ましい。
【００４１】
入力信号振幅制限回路２ａは、端子Ｐａｄ１から出力される入力信号Ｓｉｎが入力され、入力信号Ｓｉｎの中の妨害波信号の振幅制限を行い、振幅制限された妨害波信号を有する入力信号Ｓｉｎを増幅回路１に出力する。
【００４２】
入力信号振幅制限回路２ａには、図８に示すように、ダイオードＤ１１とダイオードＤ１２が設けられる。
【００４３】
ダイオードＤ１１は、カソードがノードＮ１２に接続され、アノードが接地電位である低電位側電源ＶＳＳに接続される。ダイオードＤ１２は、アノードがノードＮ１２に接続され、カソードが低電位側電源ＶＳＳに接続される。ダイオードＤ１１とダイオードＤ１２は、ノードＮ１２と低電位側電源ＶＳＳの間に逆並列接続される。ダイオードＤ１１とダイオード１Ｄ２は、ノードＮ１２側から入力される、例えば妨害波信号の信号レベルを減衰する役目をする。
【００４４】
ここで、ダイオードＤ１１とダイオードＤ１２には、ショットキーダイオードを用いているが、代わりにＰＩＮダイオードなどを用いてもよい。
【００４５】
信号処理部６ａには、信号レベル検出回路１１、図示しないＭＩＸ、ＯＳＣ、ベースバンド処理部などが設けられる。信号処理部６ａは、スイッチ３２と出力端子Ｐａｄ２の間に設けられ、増幅回路１から出力される増幅信号Ｓ１或いは増幅回路１が停止しているときにバイパス経路を介して送信される入力信号Ｓｉｎが入力され、信号処理された信号Ｓ２を出力端子Ｐａｄ２に出力する。信号処理部６ａは、スイッチ３１及びスイッチ３２を制御する制御信号ＳＳ１１を生成する。
【００４６】
次に、受信装置の動作について図９及び図１０を参照して説明する。図９及び図１０は受信装置の動作を説明する図である。
【００４７】
図９に示すように、所望波信号の電力が所定の値以上の場合（所望波信号（大）／妨害波信号（大）或いは所望波信号（大）／妨害波信号（小）の場合）、ｅｎａｂｌｅ状態の制御信号ＳＳ１１により、スイッチ３１がノードＮ１１とノードＮ１３の間を接続し、スイッチ３２がノードＮ１３とノードＮ１４の間を接続してバイパス径路が“ａｃｔｉｖｅ”となる。
【００４８】
このため、入力信号Ｓｉｎは、入力信号振幅制限回路２ａ及び増幅回路１へは送信されない。このとき、スイッチ３１及びスイッチ３２は、高アイソレーション特性を有するＳＰＤＴスイッチを使用しているので、入力信号振幅制限回路２ａ及び増幅回路１側に信号の漏洩が防止される。
【００４９】
イネーブル状態の制御信号ＳＳ１１により、スイッチ４が“ＯＦＦ”して増幅回路１への電源供給が停止され、増幅回路１が動作を停止する。バイパス径路から送信される入力信号Ｓｉｎは、信号処理部６ａに入力され、信号処理される。
【００５０】
図１０に示すように、所望波信号の電力が小さく（所定の値以下）で、妨害波信号が小さい場合、ｄｉｓａｂｌｅ状態の制御信号ＳＳ１１により、スイッチ３１がノードＮ１１とノードＮ１２の間を接続し、スイッチＳ３２がノードＮ２とノードＮ１４の間を接続し、バイパス径路が遮断され、増幅回路１が動作する。このとき、スイッチ３１及びスイッチ３２は、高アイソレーション特性を有するＳＰＤＴスイッチを使用しているので、バイパス径路側に信号の漏洩が防止される。
【００５１】
増幅回路１は、入力信号振幅制限回路２ａから出力される電力の小さな所望波信号を増幅して増幅された増幅信号Ｓ１を出力側のノードＮ２に出力する。増幅信号Ｓ１は、信号処理部６ａに入力され、信号処理される。
【００５２】
所望波信号の電力が小さく（所定の値以下）で、妨害波信号の電力が大きい場合、ｄｉｓａｂｌｅ状態の制御信号ＳＳ１１により、スイッチ３１がノードＮ１１とノードＮ１２の間を接続し、スイッチＳ３２がノードＮ２とノードＮ１４の間を接続し、バイパス径路が遮断され、入力信号振幅制限回路２ａが電力の大きな妨害波信号の信号レベルを減衰する。電力の小さな所望波信号と減衰された妨害波信号が増幅回路１に入力される。このとき、スイッチ３１及びスイッチ３２は、高アイソレーション特性を有するＳＰＤＴスイッチを使用しているので、バイパス径路側に信号の漏洩が防止される。
【００５３】
増幅回路１は、入力信号振幅制限回路２ａから出力される電力の小さな所望波信号を増幅して増幅された増幅信号Ｓ１を出力側のノードＮ２に出力する。このとき、妨害波信号は減衰されているので、妨害波による増幅回路１の受信感度の劣化が発生しない。増幅信号Ｓ１は、信号処理部６ａに入力され、信号処理される。
【００５４】
上述したように、本実施例の受信装置では、増幅回路１、入力信号振幅制限回路２ａ、スイッチ４、スイッチ３１、スイッチ３２、電源５、信号処理部６ａ、入力端子Ｐａｄ１、及び出力端子Ｐａｄ２が設けられ、所望波信号と妨害波信号が入力信号Ｓｉｎとして入力される。スイッチ３１は、所望波信号が所定の値以上のとき、ｅｎａｂｌｅ状態の制御信号ＳＳ１１により、ノードＮ１１とバイパス径路側のノードＮ１３の間を接続し、所望波信号が小さいとき、ｄｉｓａｂｌｅ状態の制御信号ＳＳ１１により、ノードＮ１１と入力信号振幅制限回路２ａ側のノードＮ１２の間を接続する。スイッチ３２は、所望波信号が所定の値以上のとき、ｅｎａｂｌｅ状態の制御信号ＳＳ１１により、ノードＮ１３と信号処理部６ａ側のノードＮ１４の間を接続し、所望波信号が小さいとき、ｄｉｓａｂｌｅ状態の制御信号ＳＳ１１により、増幅回路１の出力側のノード２とノードＮ１４の間を接続する。スイッチ４は、所望波信号が所定の値以上のとき、ｅｎａｂｌｅ状態の制御信号ＳＳ１１により、増幅回路１と電源５の間を遮断して増幅回路１の動作を停止させ、所望波信号が小さいとき、ｄｉｓａｂｌｅ状態の制御信号ＳＳ１１により、増幅回路１と電源５の間を接続して増幅回路１への電源を供給する。入力信号振幅制限回路２ａは、所望波信号が小さく、妨害波信号が所定の値以上のときに入力信号Ｓｉｎの中の妨害波信号の振幅制限を行い、振幅制限された妨害波信号を有する入力信号Ｓｉｎを増幅回路１に出力する。
【００５５】
このため、妨害波信号の影響による増幅器１の飽和動作を回避することができ、線形領域での所望波信号の増幅動作を行うことができる。また、バイパス径路を介して入力信号Ｓｉｎが伝送される場合、増幅回路１側への入力信号Ｓｉｎの漏洩を抑制することができる。したがって、所望波信号と妨害波信号の信号レベルによらず、信号処理部６ａの全入力範囲にわたって増幅回路１の増幅動作を良好に行うことができる。
【００５６】
本発明は、上記実施例に限定されるものではなく、発明の趣旨を逸脱しない範囲で、種々、変更してもよい。
【００５７】
例えば、実施例では、ダイオードやコンデンサを有し、妨害波信号を減衰する入力信号振幅制限回路を使用しているが、代わりにマイクロストリップ線路などからなり、妨害波信号の周波数帯域のみ信号を減衰する帯域阻止フィルタ（ＢＲＦ  Band  Rejection  Filter）などを使用してもよい。
【００５８】
本発明は、以下の付記に記載されているような構成が考えられる。  
（付記１）  所望波信号及び妨害波信号が入力信号として入力され、前記所望波信号を増幅した増幅信号を出力する増幅回路と、前記増幅回路の入力側と出力側の間に設けられ、前記所望波信号の電力が所定の値以上のとき、前記入力信号をバイパス径路を介して出力信号として出力する第１のＳＰＳＴスイッチと、前記増幅回路への電源の供給を制御し、前記所望波信号の電力が所定の値以上のとき、前記増幅回路への前記電源の供給を停止する第２のＳＰＳＴスイッチと、前記増幅回路の入力側に設けられ、前記入力信号が入力され、前記所望波信号の電力が所定の値以上のとき、前記増幅回路の入力側を高インピーダンス値に設定し、前記妨害波信号の電力が所定の値以上で、前記所望波信号の電力が小さいとき、前記妨害波信号の信号レベルを減衰し、減衰した妨害波信号を前記増幅回路に出力する入力信号振幅制限回路とを具備する受信装置。
【００５９】
（付記２）  前記入力信号振幅制限回路は、一端に前記入力信号される第１のコンデンサと、カソードが前記第１のコンデンサの他端に接続され、アノードが低電位側電源に接続される第１のダイオードと、アノードが前記第１のコンデンサの他端に接続される第２のダイオードと、一端が前記第２のダイオードのカソードに接続され、他端が前記低電位側電源に接続される第２のコンデンサと、一端が前記前記第２のダイオードのカソードに接続される抵抗と、一端が前記抵抗の他端に接続され、制御信号によりオン・オフ動作する第３のＳＰＳＴスイッチと、低電位側が第３のＳＰＳＴスイッチの他端に接続され、高電位側が前記低電位側電源に接続される第１の電源とを具備する付記１に記載の受信装置。
【００６０】
（付記３）  所望波信号及び妨害波信号が入力信号として入力され、前記所望波信号を増幅した増幅信号を出力する増幅回路と、前記増幅回路の入力側に設けられ、前記所望波信号の電力が所定の値以上のとき、前記入力信号の前記増幅回路への供給を停止し、前記入力信号をバイパス径路へ供給し、前記所望波信号の電力が小さいとき、前記入力信号の前記増幅回路への供給を行う第１のＳＰＤＴスイッチと、前記増幅回路の出力側に設けられ、前記所望波信号の電力が所定の値以上のとき、前記バイパス径路から供給される前記入力信号を出力信号として出力し、前記所望波信号の電力が小さいとき、前記増幅回路から出力される増幅信号を出力信号として出力する第２のＳＰＤＴスイッチと、前記増幅回路への電源の供給を制御し、前記所望波信号の電力が所定の値以上のとき、前記増幅回路への前記電源の供給を停止するＳＰＳＴスイッチと、前記増幅回路の入力側に設けられ、前記入力信号が入力され、前記妨害波信号の電力が所定の値以上で、前記所望波信号の電力が小さいとき、前記妨害波信号の信号レベルを減衰し、減衰した妨害波信号を前記増幅回路に出力する入力信号振幅制限回路とを具備する受信装置。
【００６１】
（付記４）  前記入力信号振幅制限回路は、カソードに前記入力信号が入力され、アノードが低電位側電源に接続される第１のダイオードと、アノードに前記入力信号が入力され、カソードが前記低電位側電源に接続される第２のダイオードとを具備する付記３に記載の受信装置。
【００６２】
（付記５）  前記ダイオードは、ショットキーダイオード或いはＰＩＮダイオードである付記１乃至４のいずれかに記載の受信装置。
【００６３】
（付記６）  前記所望波信号及び前記妨害波信号の信号レベルを検出する信号レベル検出回路を有し、前記スイッチを制御する制御信号を生成し、前記出力信号を入力して信号処理を行う信号処理部を具備することを特徴とする付記１乃至５のいずれかに記載の受信装置。
【図面の簡単な説明】
【００６４】
【図１】本発明の実施例１に係る受信装置を示すブロック図。
【図２】本発明の実施例１に係る入力信号振幅制限回路を示す回路図。
【図３】本発明の実施例１に係る受信装置の動作を説明する図。
【図４】本発明の実施例１に係る受信装置の動作を説明する図。
【図５】本発明の実施例１に係る入力信号振幅制限回路の動作を説明する図。
【図６】本発明の実施例１に係る入力信号電力と出力信号電力の関係を示す図。
【図７】本発明の実施例２に係る受信装置を示すブロック図。
【図８】本発明の実施例２に係る入力信号振幅制限回路を示す回路図。
【図９】本発明の実施例２に係る受信装置の動作を説明する図。
【図１０】本発明の実施例２に係る受信装置の動作を説明する図。
【符号の説明】
【００６５】
１  増幅回路
２、２ａ  入力信号振幅制限回路
３、４、２１、３１、３２  スイッチ
５、２２  電源
６、６ａ  信号処理部
１１  信号レベル検出回路
７０、７１  受信装置
Ｃ１、Ｃ２  コンデンサ
Ｄ１、Ｄ２、Ｄ１１、Ｄ１２  ダイオード
Ｎ１〜８、Ｎ１１〜１４  ノード
Ｐａｄ１  入力端子
Ｐａｄ２  出力端子
Ｒ１  抵抗
Ｓ１  増幅信号
Ｓ２  入力信号
ＳＳ１、ＳＳ２、ＳＳ１１  制御信号
ＶＳＳ  低電位側電源
【図１】
2010074762.tif 000003
【図２】
2010074762.tif 000004
【図３】
2010074762.tif 000005
【図４】
2010074762.tif 000006
【図５】
2010074762.tif 000007
【図６】
2010074762.tif 000008
【図７】
2010074762.tif 000009
【図８】
2010074762.tif 000010
【図９】
2010074762.tif 000011
【図１０】
2010074762.tif 000012